(57)【要約】      （修正有）【課題】ＵＲ旧住宅公団、住宅公社の５階建て以下の施工建物及び民間マンション、共同住宅でエレベーター設備を有しない建物の階段、踊り場幅員７９０ｍｍを基本とする箱型外階段、傾斜角４０度以内の建築物で使用可能な、人体と車椅子を乗せて固定し、階段を昇降する車椅子一体ゴム系ローラー機械を提供する。【解決手段】昇降速度約１４段／分（傾斜階段１段の長さ約３００ｍｍとして約（４．２ｍ／分）、平坦地速度約６２歩／分（歩幅約４３０ｍｍ  ２．７ｍ／分）であり、バッテリー容量２４Ｖ３４Ａｈで、機体より取替可能で、一充電当り使用時間約４０分の直流モーター約０．５馬力を有し、最大積載量約２００ｋｇ、機体重量約１２０ｋｇであり、ゴム系ローラー機体幅約５２０ｍｍ、高さ約３７０ｍｍ、全長９７５ｍｍ、機械室スペース幅幅２７０ｍｍ、高さ約２４０ｍｍ、操作パイプ上部扇形約１，１４０ｍｍである。【選択図】図１
0003218029.tif 000002
【実用新案登録請求の範囲】
【請求項１】
人体と車椅子１を、一体ゴム系ローラー機械２に乗せ固定３し、階段を昇降する車椅子一体ゴム系ローラー機械４を、ＵＲ旧住宅公団施工建物、住宅公社、マンション５の階段等、踊り場幅員７９０ｍｍを基本とする箱型外階段傾斜角４０度以内、階段昇降速度約１４段／分傾斜階段１段の長さ約３００ｍｍ（４．２ｍ／分）平坦地速度歩数６２歩／分歩幅４３０ｍｍ（２．７ｍ／分）バッテリー容量２４Ｖ３４Ａｈ機体より充電器取り出し可、一充電当り使用時間役４０分永久磁石式、直流モーター約０．５馬力最大積載量約２００ｋｇ機体重量約１２０ｋｇ機体幅５２０ｍｍ高さ３７０ｍｍ全長９７５ｍｍ機械室スペース幅幅２７０ｍｍ高さ２４０ｍｍ竪扇形操作パイプ１，１４０ｍｍ構造車椅子一体ゴム系ローラー機械。
【請求項２】
車椅子構造、ステンレス製パイプ径２２ｍｍ、車輪ゴムタイヤ径４２０ｍｍ機幅６００ｍｍ全長９５０ｍｍ高さ９００ｍｍ、座席一部布張りゴム系ローラー、機械構造鉄板製外形戦車型ゴム系ローラー、ベルト幅１００ｍ接地面長さ５００ｍｍ機械体長さ７００ｍｍ高さ３４０ｍｍ車椅子座席底部にパイプ径２２ｍｍ２本、機体鉄板上部前側傾斜角２０°Ｕ字型受皿溝２条に車椅子昇降時→滑り込ませる操作が容易、車椅子の固定は機本体の上部鉄板穴より前後左右８本の固定ベルトで引き締め更に安定度を高める車椅子機械本体の上部横パイプの合致部をベルト締結機械室容量幅２７０ｍｍ高さ２４０ｍｍ長さ５００ｍｍ構造本機械の適用は箱型階段および直通階段のみ、らせん階段その他は適用外請求項１記載の車椅子一体ゴム系ローラー機械。
【請求項３】
機械運搬操作中階段踊り場で通行者と遭遇時、踊り場上下４角に退避所奥行約３００ｍｍに退避して機械の運行状況を見て通行可能にする、階段を降りる際介護者は昇る時と同様の体制で機械の後側に位置する事を厳守、人体と機械を先に降ろす行為は厳禁、荷物運搬容器幅４００ｍｍ高さ３００ｍｍ長さ６００ｍｍの専用容器で車椅子同様８本の固定ベルトで締結容器箱に人体を乗せる事も厳禁、請求項１または２記載の車椅子一体ゴム系ローラー機械。
【考案の詳細な説明】
【技術分野】
【０００１】  本考案は、歩行困窮者が平坦な場所を走行する機能と車椅子を載せた階段昇降機械がＵＲ旧住宅公団施工建物を主に他の住宅公社又はマンション等、階段傾斜角４０°以内の階段にも利用できる昇り降りを容易に安全・安心・安価に出来る事を解決する為に考案した車椅子一体ゴム系ローラー機械に関する
【背景技術】
【０００２】  本考案  住宅公団・公共施設等などの大規模高層建築物における上下階への昇降装置としては、エレベータやエスカレータ等が普及しており、また、利用者が多い駅等における身障者用の昇降装置の技術としては、特許文献１又は２が開示されている。歩行困窮者が平坦な場所を走行する機能を持ち階段を上り下りする機能を有する電動車椅子はあるが、しかしこれらの装置を個人住宅などの小規模建築物・ＵＲ旧住宅・住宅公社・マンション等の階段には設置するにはいろいろ問題があり，容易ではなく難しいのが現状である。
【特許文献１】特許２５５１８６２号公報
【特許文献２】特許４０９４１３２号公報
【考案の開示】
【考案の解決しようとする課題】
【０００３】  本考案は、このような従来技術において、人体を乗せた車椅子を一体ゴム系ローラー機械に乗せ階段を昇降する機械部をＵＲ旧住宅公団施工建物・住宅公社・マンションの階段・踊り場等の階段を上り、下り、水平時の傾斜度に対応するように設定する事で車椅子の利用者に安全と安心感を与える必要がある。
本考案、このような従来技術が抱える問題を解消して、利用者にとって快適であると共に、介護者による良好な操作性が得られ、提供することを目的とする車椅子一体ゴム系ローラー機械を開発しようとするものである。
【問題を解決するための手段】
【０００４】  前記課題を解決するために本考案は、人体と車椅子を一体ゴム系ローラー機械に乗せ、ＵＲ旧住宅公団、住宅公社、マンション等の階段を昇降する機械で、踊り場のある階段を上り、下り、又、水平時の傾斜度に対応するような構造にし、又、踊り場をスムーズに介護者の操作により安全で他人に迷惑が掛からない用に、又、左右の回転もでき、前進、後進も安全と安心感を感じながら、ブレーキも備わって良好な操作性が得られる人体と車椅子が載った一体ゴム系ローラー機械であることを特徴としている。
【考案の効果】
【０００５】  上述の様に、このような特徴を有する本考案によると、ＵＲ旧住宅公団施工建物・住宅公社・マンション・一般住宅等の利用者にとって快適・安心であると共に、良好な操作性が得られ、障害者・高齢者に効果がある人体と車椅子を載せた車椅子一体ゴム系ローラー機械である。
【考案を実施するための最良の形態】
【０００６】  機械運行実施時、車椅子座高２４０ｍｍゴム系ローラー機体う上部高３４０ｍｍ高低差１００ｍｍを機体前面傾斜角２０°２本のＵ字型溝内接地小型ローラーのＵ字型を車椅子底辺接地２本のステンレスパイプ２２ｍｍワイヤーで巻上げ滑らせ扇型竪パイプ２４ｍｍと揃え前後左右８本のワイヤーで本体と固定上部は合致する横パイプをベルト固定、走行時は介護者が操作を容易にする為、膝先足受けパイプ水平まで上げ前進後退並びに左右方向回転は曲がる方のローラーを停止回転後発信。
【実施例】
【０００７】  ゴム系ローラーの特長は先端部が階段傾斜角４０°に合わせ製作され介護者が機体の先端を持ち上げる必要は全く無く自然体で昇行可能、運行中移住者と階段踊り場で擦れ違う折、多少の迷惑は生ずるが上下踊り場４角設置の奥行約３００ｍｍ以上の退避場で待って頂き階段室の居住者の方と生活が共存出来得る機械、運搬中階段等で万一故障発生によりゴムローラーが停止した場合即電磁ブレーキの作動によりローラーの滑り落ちは防止される構造にしてある。
【図面の簡単な説明】
【０００８】
【図１】参考概要図１  本考案の車椅子一体ゴム系ローラー機械の側面図。イ、１  記号は膝先部を水平に上げ操作を容易にする。ロ、ゴムローラー機体上車椅子後面図。１  機体のローラーベルト幅１００ｍｍ高さ３００ｍｍ  ２  機体低Ｇ，Ｌより１００ｍｍ上り２４０ｍｍ。３  荷物運搬専用箱。ハ、機体側面図。１  機体の長さ７００ｍｍ接地面長さ５００ｍｍ高さ３４０ｍｍ。２  後輪機動ギヤ１組、固定送りローラー８組  ３  機械設備容量幅２７０ｍｍ高さ２４０ｍｍ長さ５００ｍｍ。ニ  機体と車椅子組立側面図  １  Ａ記号水平高  ２  機体後部操作扇型パイプ径２４ｍｍ高さ１１４０ｍｍ
【図２】参考概要図２  １  建築基準法と公団住宅施工、建築の対比。２  旧公団住宅の施工の外階段踊り場幅員７９０ｍｍを基本。３  階段傾斜角４０°。４  １階段傾斜の長さ３００ｍｍ。５  階段昇降速度約１４段／分。
【図３】参考概要図３  １  階段踊り場幅員７９０ｍｍをイ、ロ、ハ、ニ準の機体走行。２  機体幅員６００ｍｍ、機体長さ９７５ｍｍ、高さ１，１４０ｍｍ。３  踊り場上下４角に退避場所奥行約３００ｍｍ。
【符号の説明】
【０００９】  １  人体と椅子
２  一体ゴム系ローラー機械
３  固定
４  車椅子一体ゴム系ローラー機械
５  ＵＲ旧住宅公団施工建物、住宅公社、マンション等
【図１】
0003218029.tif 000003
【図２】
0003218029.tif 000004
【図３】
0003218029.tif 000005
【手続補正書】
【提出日】平成30年4月23日(2018.4.23)
【手続補正１】
【補正対象書類名】実用新案登録請求の範囲
【補正対象項目名】全文
【補正方法】変更
【補正の内容】
【実用新案登録請求の範囲】
【請求項１】
人体と車椅子１を一体ゴム系ローラー機械２に乗せ固定３とし階段を昇降する車椅子一体ゴム系ローラー機械４をＵＲ旧住宅公団、住宅公社の５階建以下の施工建物及び民間のマンション、共同住宅でエレベーター設備を有しない建物の階段、踊り場幅員７９０ｍｍを基本とする箱型外階段、傾斜角４０度以内の建築物、階段昇降歩数１４段／分、階段傾斜の１段の長さ約３００／ｍｍ、階段の全長約４．２ｍ／分、平坦地歩数約６２歩／分、歩幅約４３０ｍｍ（２．７ｍ／分、バッテリー容量２４Ｖ３４Ａｈ、機体より取替可、一充電当たりの使用量約４０分、直流モーター約０．５馬力、最大積載量約２００ｋｇ、機体重量約１２０ｋｇ、ゴム系ローラー機体幅約５２０ｍｍ、高さ約３７０ｍｍ、全長９７５ｍｍ、機械室スペース幅２７０ｍｍ、高さ約２４０ｍｍ、操作パイプ上部扉形高さ約１，１４０ｍｍ構造の車椅子一体ゴム系ローラー機械。
【請求項２】
車椅子構造ステンレス製パイプ２２ｍｍ、車輪ゴムタイヤ径４２０ｍｍ、幅６００ｍｍ、全長９５０ｍｍ、高さ９００ｍｍ、座席一部布張り、座高２４０ｍｍ底部左右２本のステンレスパイプ取付、ゴム系ローラー機械構造、鉄板製外形戦車型を呈す、参考概要図１のロとニ参照、ゴム系ローラーベルト幅１００ｍｍ、接地面ベルト長さ５００ｍｍ、機械全長７００ｍｍ、機械室幅２７０ｍｍ、長さ５００ｍｍ、高さ２４０ｍｍ、前面上部に傾斜角２０°のＵ字型受溝を左右に設け、車椅子座高底部取付のパイプを機械室上部前面の受溝内に納め電動ワイヤーで静かに引上げる、前後左右８本の固定ベルトで締結、機体と車椅子の操作用パイプ上部相互の横パイプを安全度を高める為締結、参考概要図２参照、機械の適用範囲は箱型階段と直通階段に限定、らせん階段其の他の階段適用外、の請求項１記載の車椅子一体ゴム系ローラー機械。
【請求項３】
機械運搬操作中階段踊り場で通行者と遭遇時、踊り場上下４角に退避所奥行約３００ｍｍに退避して機械の運行状況を見て通行可能にする、階段を降りる際介護者は昇る時と同様の体制で機械の後側に位置する事を厳守、人体と機械を先に降ろす行為は厳禁、荷物運搬容器幅４００ｍｍ高さ３００ｍｍ長さ６００ｍｍの専用容器で車椅子同様８本の固定ベルトで締結容器箱に人体を乗せる事も厳禁、請求項１または２記載の車椅子一体ゴム系ローラー機械。
【手続補正書】
【提出日】平成30年6月29日(2018.6.29)
【手続補正１】
【補正対象書類名】実用新案登録請求の範囲
【補正対象項目名】全文
【補正方法】変更
【補正の内容】
【実用新案登録請求の範囲】
【請求項１】
人体と車椅子１を、一体ゴム系ローラー機械２に乗せ固定３とし階段を昇降する車椅子一体ゴム系ローラー機械４であって、ＵＲ旧住宅公団、住宅公社の５階建て以下の施工建物及び民間マンション、共同住宅でエレベーター設備を有しない建物の階段、踊り場幅員７９０ｍｍを基本とする箱型外階段、傾斜角４０度以内の建築物で使用可能であり、階段昇降速度約１４段／分（傾斜階段１段の長さ約３００ｍｍとして約（４．２ｍ／分）、平坦地速度約６２歩／分（歩幅約４３０ｍｍ  ２．７ｍ／分）、バッテリー容量２４Ｖ３４Ａｈ、機体より取替可、一充電当り使用時間約４０分、直流モーター約０．５馬力最大積載量約２００ｋｇ、機体重量約１２０ｋｇ、ゴム系ローラー機体幅約５２０ｍｍ、高さ約３７０ｍｍ、全長９７５ｍｍ、機械室スペース幅幅２７０ｍｍ、高さ約２４０ｍｍ、操作パイプ上部扇形約１，１４０ｍｍであることを特徴とする車椅子一体ゴム系ローラー機械。
【請求項２】
車椅子構造ステンレス製パイプ２２ｍｍ、車輪ゴムタイヤ径４２０ｍｍ、幅６００ｍｍ、全長９５０ｍｍ、高さ９００ｍｍ、座席一部布張り、座高２４０ｍｍ底部左右２本のステンレスパイプ取付、ゴム系ローラー機械構造、鉄板製外形戦車型を呈す、ゴム系ローラーベルト幅１００ｍｍ、接地面ベルト長さ５００ｍｍ、機械全長７００ｍｍ、機械室幅２７０ｍｍ、長さ５００ｍｍ、高さ２４０ｍｍ、前面上部に傾斜角２０°のＵ字型受溝を左右に設け、車椅子座高底部取付のパイプを機械室上部前面の受溝内に納め電動ワイヤーで静かに引上げる、前後左右８本の固定ベルトで締結、機体と車椅子の操作用パイプ上部相互の横パイプを安全度を高める為締結、機械の適用範囲は箱型階段と直通階段に限定、らせん階段其の他の階段適用外、の請求項１記載の車椅子一体ゴム系ローラー機械。
【請求項３】
機械運搬操作中階段踊り場で通行者と遭遇時、踊り場上下４角に退避所奥行約３００ｍｍに退避して機械の運行状況を見て通行可能にする、階段を降りる際介護者は昇る時と同様の体制で機械の後側に位置する事を厳守、人体と機械を先に降ろす行為は厳禁、荷物運搬容器幅４００ｍｍ高さ３００ｍｍ長さ６００ｍｍの専用容器で車椅子同様８本の固定ベルトで締結容器箱に人体を乗せる事も厳禁、請求項１または２記載の車椅子一体ゴム系ローラー機械。